(57)【要約】      （修正有）【課題】簡単な構成で、操作部材の操作により反転ラッチの規制を解き、規制解除状態を安定的に維持したまま内外気圧差解消装置を作動させるラッチ錠を提供する。【解決手段】錠箱に反転ラッチ５０を規制するラッチ規制部材５４と、操作部材の操作力により所定量回転する駆動カム１２と、駆動カムとラッチ規制部材の間に介在する反転ラッチ規制解除用の作動片４６とを設け、駆動カムの駆動力によりフロント側に摺動する摺動制御体２４と、摺動制御体により水平方向に回転するスイング式押圧体２７とを備えた内外気圧差解消装置を設けた。駆動カムは作動片と係合する半径外方向の第１係合部１３と摺動制御体に係合する半径外方向の第２係合部１４とを有し、作動片の一側上面にカム部分４８を有し、カム部分には反転ラッチ規制解除用の傾斜面４８ａと傾斜面に続くと共にラッチ規制部材の規制を解除した状態を維持する水平支持面４８ｂとが形成されている。【選択図】図２
2017071971.tif 000002
【特許請求の範囲】
【請求項１】
錠箱に反転ラッチを規制するラッチ規制部材と、操作部材の操作力により所定量回転する駆動カムと、この駆動カムと前記ラッチ規制部材の間に介在する反転ラッチ規制解除用の作動片とを設け、一方、前記錠箱に前記駆動カムと係合すると共に該駆動カムの駆動力により前記錠箱のフロント側に摺動する摺動制御体と、この制御摺動体に連係手段を介して水平方向に回転するスイング式押圧体とを備える開き戸用の内外気圧差解消装置を設けた建具用ラッチ錠であって、
前記駆動カムは、前記作動片と係合する半径外方向の第１係合部と前記摺動制御体に係合する半径外方向の第２係合部とを有し、また前記作動片は、スライド部の一側上面にカム部分を有し、前記カム部分には反転ラッチ規制解除用の傾斜面と該傾斜面に続くと共に前記ラッチ規制部材の規制を解除した状態を維持する水平支持面とが形成されている建具用ラッチ錠。
【請求項２】
請求項１に於いて、ラッチ規制部材は、連係内端部に相当する可動連結軸及び該可動連結軸を基準とする上下の支軸にそれぞれ軸支された上下一対のロッキングピースであり、また反転ラッチ規制解除用の作動片は、前記可動連結軸を基準にして、前記ロッキングピースの一方から略水平状態に延びる係合受け腕部と前記駆動カムのボス部との間の空間に水平動可能に配設されていることを特徴とする建具用ラッチ錠。
【請求項３】
請求項１に於いて、連係手段は、摺動制御体の先端面から突出する枠状連結突片と、この枠状連結突片に係合すると共にスイング式押圧体の後端部に設けられた可動連結ピンであり、前記枠状連結突片内の前記摺動制御体の先端面と前記スイング式押圧体の後端面との間には、前記スイング式押圧体を作動させるためのタイミングラグ用の間隙が設けられていることを特徴とする建具用ラッチ錠。
【発明の詳細な説明】
【技術分野】
【０００１】
本発明は、住宅、高層マンション等の開き戸用の内外気圧差解消装置を備えた建具用ラッチ錠に関する。
【背景技術】
【０００２】
特許文献１には、「反転ラッチ５０」と共に、「スイング式押圧体２７」を含む開き戸用の内外気圧差解消装置と備えた建具用ラッチ錠Ｘが記載されている。
【０００３】
すなわち、特許文献１に記載の建具用ラッチ錠Ｘは、「扉７の壁面に固定された座板１０を介して該壁面に接離する方向へ所定量回転可能に設けられ、かつその作動突片９ａが扉の自由端部７ａに設けられた錠箱８の窓５３から該錠箱内へと突入するプッシュ・プル式の操作部材９と、前記作動突片の押圧力に基づいて、かつ、付勢手段２３の付勢力に抗して前記錠箱のフロント８ａ側にスライドする摺動制御体２４と、この摺動制御体に直接又は仲介部材４６のいずれかを介して係合すると共に、該摺動制御体の移動中に反転ラッチ５０の規制を解くラッチ規制部材５４と、この摺動制御体２４の先端部２４ａに連係手段１９，３１を介して連結されていると共に、固定の垂直軸３０を介して軸支され、かつその先端部２４ａ側に前記フロント８ａから常に突出する係合先端部２７ｂを有するスイング式押圧体２７とから成り、開扉時、前記作動突片９ａによって前記摺動制御体２４がスライドし始めると、該摺動制御体２４又は前記仲介部材４６のいずれかを介して前記反転ラッチ５０が前記ラッチ規制部材５４から解放され、その後、前記連係手段１９，３１を介して前記スイング式押圧体２７の係合先端部２７ｂが扉枠側の当接部２８にテコの原理で圧接すると、該圧接力に基づく略全ての反力は扉自体を開く方向へ作用する開き戸用の内外気圧差解消装置を備えるものである（符号は特許文献１のもの）。
【０００４】
この特許文献１の利点は、扉をこじ開けるようにして扉自体に開放方向に分力の一部を与えようとするものではなく、テコの原理を利用していることから、スイング式押圧体の係合先端部の圧接力は、直進方向に対する分力とは成らず、略全て扉を開く方向に作用する反力と成るので、扉枠側の当接部に対するスイング式押圧体の圧接力を十分に発揮させることができる。
【０００５】
ところで、特許文献２乃至特許文献４には、ラッチ錠を構成するラッチ部材の一例として「反転ラッチ」を用いたものが記載されている。これらの各特許文献には、基本的には「反転ラッチ」とプッシュ・プル式の操作部材の枢着基端部に設けられ、かつラッチ錠の錠箱に形成した窓を貫通する「作動突片」との間に、例えば該作動突片の位置変位によって回動する駆動カムと、該駆動カムと協働する連動機構を介して回転する単数又は複数のロッキングピースを介在させ、扉を開く際、前記プッシュ・プル式の操作部材を扉の壁面に接離する方向へ引く又は押すと、前記作動突片が水平方向又は垂直方向へ移動し、これにより前記駆動カムがラッチの仮施錠状態を解く方向へ所定量回転し、前記操作部材を把持した状態で扉を開くことができる（周知乃至自明事項）。
【先行技術文献】
【特許文献】
【０００６】
【特許文献１】特開２０１３−６０７１７号公報
【特許文献２】特開２００１−２２７２１０号（特に、図４）
【特許文献３】特開２００８−５０８６４号（特に、図１）
【特許文献４】特開２００８−２８０７５２号
【発明の概要】
【発明が解決しようとする課題】
【０００７】
本願発明の主たる目的は、操作部材の操作時、簡単な構成により反転ラッチの規制を解くことができると共に、該反転ラッチに対する規制解除状態を安定的に維持したままスイング式押圧体を含む開き戸用の内外気圧差解消装置を作動させ、特許文献１の利点を十分に生かすことである。また摺動制御体と共働するスイング式押圧体がバラバラに成らず、確実に作動することである。第２の目的は、構成する部品を少なくすると共に、錠箱内に空間を有効的に活用することである。
【課題を解決するための手段】
【０００８】
本願発明の建具用ラッチ錠は、錠箱に反転ラッチを規制するラッチ規制部材と、操作部材の操作力により所定量回転する駆動カムと、この駆動カムと前記ラッチ規制部材の間に介在する反転ラッチ規制解除用の作動片とを設け、一方、前記錠箱に前記駆動カムと係合すると共に該駆動カムの駆動力により前記錠箱のフロント側に摺動する摺動制御体と、この制御摺動体に連係手段を介して水平方向に回転するスイング式押圧体とを備える開き戸用の内外気圧差解消装置を設けた建具用ラッチ錠であって、前記駆動カムは、前記作動片と係合する半径外方向の第１係合部と前記摺動制御体に係合する半径外方向の第２係合部とを有し、また前記作動片は、スライド部の一側上面にカム部分を有し、前記カム部分には反転ラッチ規制解除用の傾斜面と該傾斜面に続くと共に前記ラッチ規制部材の規制を解除した状態を維持する水平支持面とが形成されていることを特徴とする。
【０００９】
上記構成に於いて、ラッチ規制部材は、連係内端部に相当する可動連結軸及び該可動連結軸を基準とする上下の支軸にそれぞれ軸支された上下一対のロッキングピースであり、また反転ラッチ規制解除用の作動片は、前記可動連結軸を基準にして、前記ロッキングピースの一方から略水平状態に延びる係合受け腕部と前記駆動カムのボス部との間の空間に案内手段を介して水平動可能に配設されていることを特徴とする。また連係手段は、摺動制御体の先端面から突出する枠状連結突片と、この枠状連結突片に係合すると共にスイング式押圧体の後端部に設けられた可動連結ピンであり、前記枠状連結突片内の前記摺動制御体の先端面と前記スイング式押圧体の後端面との間には、前記スイング式押圧体を作動させるためのタイミングラグ用の間隙が設けられていることを特徴とする。
【００１０】
ここでの「摺動制御体」は、操作部材（例えばレバーハンドル）の軸部と共に回転する駆動カムの駆動力により、錠箱のフロント側に移動し始めた時点では、スイング式押圧体を作動させるものではなく、枠状の連結突片を有する連係手段によって摺動制御体の先端面とスイング式押圧体の後端面との間に形成されたタイミングラグ用の間隙がなくなった時点、換言すると、ロッキングピースの係合受け腕部の後端部が反転ラッチ規制解除用の作動片の傾斜面から水平支持面に移行した時点で、前記連係手段を介して、かつテコの原理によって、スイング式押圧体の係合先端部の圧接力が略全て扉を開く方向に作用する反力と成るように制御（押圧）する。
【発明の効果】
【００１１】
（ａ）請求項１に記載の発明は、特許文献１の利点を生かしつつ、例えば扉の壁面に対して平行状態に回転する把手部を有するレバーハンドルの操作力により、反転ラッチに対する規制を解くことができると共に、該反転ラッチに対する規制を解いた状態を安定的に維持しながら、開き戸用の内外気圧差解消装置のスイング式押圧体を確実に作動させることができる。連係手段を用いているので、摺動制御体とこれに共働するスイング式押圧体がバラバラに成らず、確実に作動する。
（ｂ）請求項２に記載の発明は、構成する部品を少なくすると共に、錠箱内に空間を有効的に活用することができる。
（ｃ）請求項３に記載の発明は、簡単な構成により、反転ラッチ規制解除用の作動片によってラッチ規制部材の規制が解かれた時、タイミング良くスイング式押圧体を作動させることができる。
【図面の簡単な説明】
【００１２】
図１乃至図１５は本発明の第１実施形態を示す各説明図。
【図１】扉枠側の部材と扉側の部材を示す環境説明図。
【図２】ラッチ錠の錠箱を縦断面視した初期状態の説明図。
【図３】主要部の位置関係を示す平面視からの環境説明図（操作部材は省略）。
【図４】主要部を構成するスイング式押圧体、摺動制御体等の分解斜視図。
【図５】要部の連係構成を示す平面視からの説明図。
【図６】駆動カム等の概略説明図。
【図７】反転ラッチ規制解除用の作動片等の斜視からの説明図。
【図８】要部（扉枠側）の概略断面説明図。
【図９】図８の正面視からの概略説明図。
【図１０】規制を解除するタイミングの説明図。
【図１１】スイング式押圧体の作動開始のタイミングの説明図。
【図１２】カム部の高効率位置の説明図。
【図１３】スイング式押圧体の係合先端部が最大に突出した状態の説明図。
【図１４】図１３における平面視からの説明図。
【図１５】内外気圧差解消装置に関して、平面視からの作動の流れを示す概略説明図。
【発明を実施するための最良の形態】
【００１３】
図１乃至図１５は、本発明の実施形態の一例を示す各説明図である。
【００１４】
（１）環境部材／本発明の前提要件
図１乃至図３を参照にして環境部材を説明する。まず、図１は扉枠側の部材と扉側の部材を示す環境説明図で、特に、扉７の外壁面７ａと錠箱８のフロント８ａが見える斜視図である。この図に於いて、１は玄関扉用の扉枠で、この扉枠１の縦枠には受け部材の一例としての錠受け２が縦方向に固定されている。受け部材２には、上方から順番にデッド受け穴３、ラッチ受け穴４、スイング式押圧体用の切欠部分５が形成されている。前記切欠部分５の幅（縦幅及び横幅）は、後述するスイング式押圧体２７の係合先端部２７ｂの幅に対応している。本実施形態では、前記係合先端部２７ｂを板状に形成したので、切欠部分５の上下方向の幅は狭い。
【００１５】
また扉枠１の縦枠には、戸当り６、前記受け部材２を取付けるための切欠状の凹所４３（図３参照）がそれぞれ形成されている。本発明の本質的事項ではないが、実施形態如何によって、前記戸当り６には、戸当り６と扉７との隙間をシールするパッキン（ガスケット）が適宜に設けられている。
【００１６】
したがって、扉７が室外の方向に開動する開閉体であれば、室内側が負圧となることで、扉７の開閉端部の内側（図１では向こう側の内壁面）は、パッキンを介して又は介さないで戸当り６に押付けられる。さらに、扉枠１には支持ブラケット４１を介して垂直ローラ４２を備えた当接部２８が設けられている。
【００１７】
一方、扉７の開閉端部には、ラッチ錠Ｘの錠箱８が内装されている。ここで「ラッチ錠」とは、ラッチボルトや反転ラッチと称されるラッチ部材を有する錠前のことで、デッドボルトのみを有する本締り錠を除く。したがって、ラッチボルトのみを有する空錠、ラッチボルト又は反転ラッチのいずれかを有すると共に、デッドボルトを持つ錠前（例えば玄関錠）は、ここでの錠前Ｘに含まれ、本実施形態は「反転ラッチを有するラッチ錠Ｘ」に適合する。
【００１８】
図１で示すように、ラッチ錠Ｘの錠箱８の外壁面側（つまり扉７の室外側の壁面７ａ）には、外側操作部材の一例としてのレバーハンドル９が設けられている。また、扉７の室外側に図示しない鍵孔が表れるシリンダ錠が設けられる。一方、扉７の室内側に内側操作部材の一例としてのレバーハンドル１１が設けられている。また、シリンダ錠の軸線上に位置するように図示しないサムターン装置が設けられている。この図１に於いて、外側のレバーハンドル９は、軸部９ａと該軸部と直交する把手部９ｂを有し、前記把手部９ｂを片手で矢印Ａ方向に押下げると、扉７の外壁面に対して平行状態に回転する。この点、内側のレバーハンドル１１も同様である。なお、操作部材は、操作ノブ、レバーハンドル、回転可能な輪状のゆびかん、回転可能なケースハンドル等が含まれる。また操作部材の操作態様（押下げる、ブッシュする。プルすする等は問わない。
【００１９】
ところで、フロント８ａには、上方から順番に不番のデッドボルト用開口、反転ラッチ用開口、スイング式押圧体２の係合先端部２７ｂ用開口がそれぞれ形成されているが、前述したように「ラッチ錠」は、デッドボルトは必須要件ではないので、実施形態では、デッドボルトが存在しないラッチ錠Ｘについて説明する。また符号２Ａは受け部材２に直交する扉枠１の縦枠の前面に固定される補強片で、この補強片２Ａは縦枠に切欠凹所を形成するので、それを補強するためのものである。さらに符号１０は、レバーハンドル９用の座板である。特に図示しないが、内側のレバーハンドル１１も外側のレバーハンドル９と同様に内側の座板に支持された状態で所要量回転可能である。
【００２０】
上記構成に於いて、扉７が室外の方向に開動する開閉体であれば、室内側が負圧となることで、扉７の開閉端部の内側（図１では向こう側の内壁面）は、戸当り６に押付けられる。したがって、扉７を開け難いという問題点があり、それを解決するために「内外気圧差解消装置」備えた建具用のラッチ錠Ｘを提案する。    
【００２１】
（２）本発明の主要部
本発明の建具用ラッチ錠Ｘは、特許文献１と同様に、「反転ラッチ５０」と共に、「スイング式押圧体２７」を含む開き戸用の内外気圧差解消装置と備えている。
しかしながら、特許文献１に対して、（ａ）操作部材９，１１が、壁面に接離する方向へ所定量回転するプッシュ・プル式でなく、扉７の壁面７ａに対して平行状態に回転する把手部９ｂを有するレバーハンドルである点、（ｂ）レバーハンドルの軸部９ａは駆動カム１２の非真円（楕円、多角形）の軸孔１２ａに固定的に嵌入し、前記駆動カム１２はレバーハンドル９と共働してラッチ規制部材５４の規制を解く方向に所定量回転する点、（ｃ）前記駆動カム１２の回転運動を直線運動に変換する反転ラッチ規制解除用の作動片４６が、前記駆動カム１２と前記ラッチ規制部材５４の間に介在する点、（ｄ）前記反転ラッチ規制解除用の作動片４６は、案内手段を介して水平移動するスライド部４７と、このスライド部の一側上面に突出するカム部分４８とを有し、前記カム部分４８は、初期位置では前記スライド部４７の一側上面４７ａでラッチ規制部材５４の係合受け腕部５４ｃを支持する機能、反転ラッチ規制解除用の作動片４６が移動し始めると、そのカム部分４８の傾斜面４８ａで、前記ラッチ規制部材５４の係合受け腕部５４ｃを押し上げて、該ラッチ規制部材５４の規制を解く機能、及び前記傾斜面４８ａに続くカム部分４８の水平支持面４８ｂでラッチ規制部材５４の規制を解いた状態を維持する機能を有する点等が相違する。
【００２２】
しかして、本発明の建具用ラッチ錠Ｘは、錠箱８に反転ラッチ５０を規制するラッチ規制部材５４と、例えば外側の操作部材９の操作力により所定量回転する駆動カム１２と、この駆動カムと前記ラッチ規制部材の間に介在する反転ラッチ規制解除用の作動片４６とを設け、一方、前記錠箱８に前記駆動カム１２と係合すると共に該駆動カム１２の駆動力により前記錠箱８のフロント８ａ側に摺動する摺動制御体２４と、この制御摺動体に枠状連結突片１９及び可動連結ピン３１を含む連係手段を介して水平方向に回転するスイング式押圧体２７を備える開き戸用の内外気圧差解消装置を設けたものである。
【００２３】
そして、前記操作部材９は前記駆動カム１２に嵌合する軸部９ａ及び該軸部に連設すると共に扉７の壁面に対して平行状態に回転する把手部９ｂを有するレバーハンドル９であり、また前記駆動カム１２は、その軸孔１２ａを有するボス部１２ｂの外周面に前記反転ラッチ規制解除用の作動片４６と係合する半径外方向の第１係合部１３と前記摺動制御体２４に係合する半径外方向の第２係合部１４とを有し、また前記反転ラッチ規制解除用の作動片４６は、第１付勢手段４５の付勢力に抗して水平移動するスライド部４７と、該スライド部４７の一側上面４７ａに一体的に設けられた或いは形成された突起状のカム部分４８とから成り、前記突起状のカム部分４８は、反転ラッチ規制解除用の傾斜面４８ａ及び該傾斜面に続くと共に反転ラッチ５０に対するラッチ規制部材５４の規制を解除した状態を維持する水平支持面４８ｂとを有する。
【００２４】
（３）各部材の具体的構成
各部材の具体的構成を説明する。まず、外側の操作部材９について説明する。図１で示すように、外側のレバーハンドル９は、その水平方向の軸部９ａが扉７の外壁面に固定された座板１０を貫通し、該軸部９ａの内端部に一体的に設けられた角軸１５及びボス部１２ｂの中心部に形成した軸孔１２ａを介して、駆動カム１２と一体となる。前述したように外側のレバーハンドル９は、把手部９ｂを押下げると。扉７の壁面に対して平行状態に所定量回転する。なお、実施形態の操作部材９は、扉７の壁面に対して平行状態に所定量回転するレバーハンドルであるが、片手で握ることができる操作ノブ等であっても良い。
【００２５】
次に図６を参照にして駆動カム１２を説明する。駆動カム１２は「ハンドルカム」と称され、角軸１５と共働する駆動部材である。したがって、軸孔１２ａを有するボス部１２ｂの外周面に反転ラッチ規制解除用の作動片４６と係合する半径外方向の第１係合部１３と摺動制御体２４に係合する半径外方向の第２係合部１４とを有する。具体的には、前記親指状に形成された第１係合部１３は上方に延びて作動片４６のスライド部４７の先端部に形成した切欠状の被係合部４７ｂに係合し、一方、該第１係合部１３と回転対称の部位に前記親指状に形成された第２係合部１４は下方に延びて後述する摺動制御体２４の押圧本体２５の後端面２５ｂに当接する。そして、駆動カム１２はレバーハンドル９の操作力により、不番のストッパーに当るまで所定量回転可能である。
【００２６】
次に図７を参照にして反転ラッチ規制解除用の作動片４６を説明する。実施形態では該作動片４６は、後述のラッチ規制部材５４を軸支する可動連結軸５４ａを基準にして、ラッチ規制部材５４（ロッキングピースの一方から略水平状態に延びる）の係合受け腕部５４ｃと駆動カム１２のボス部１２ｂとの間の空間に水平動可能に配設されている。
【００２７】
すなわち、作動片４６は、錠箱８の上部側に、その後端部が錠箱の後壁８ｂに支持された第１付勢手段４５の付勢力に抗して水平移動するスライド部４７と、該スライド部４７の一側上面４７ａに一体的に設けられた或いは形成された突起状のカム部分４８とから成り、前記突起状のカム部分４８は、反転ラッチ規制解除用の傾斜面４８ａ及び該傾斜面に続くと共に反転ラッチ５０に対するラッチ規制部材５４の規制を解除した状態を維持する水平支持面４８ｂとを有する。そして、前記スライド部４７の先端部側には先端面及び下面に亘って切欠状の被係合部４７ｂが形成され、該切欠状被係合部４７ｂには駆動カム１２の指状の第１係合部１３が係合する。またライド本体４７の後端部側には第１付勢手段４５の先端部を受け入れる不番の支持孔が形成され、さらに両側壁には不番のガイド突起が設けられている。
【００２８】
次に図２を参照にしてラッチ錠Ｘを構成する反転ラッチ５０と、該反転ラッチ５０に対するラッチ規制部材５４について簡単に説明する。図２に於いて、５１はラッチ枠５２内に設けられた反転ラッチ用バネである。この反転ラッチ５０とプッシュ・プル式の操作部材とを組み合わせたラッチ錠Ｘの具体的構成は、例えば特許文献２乃至特許文献４に見られるように、既に周知乃至自明事項なので、その詳細は割愛する。
【００２９】
また、ラッチ規制部材５４も、「ロッキングピース」と称され、既に反転ラッチ５０と同様に周知乃至自明事項なので、その詳細は割愛するが、本実施形態では、ラッチ規制部材５４、５４は、連係内端部に相当する可動連結軸５４ａを介して互いに連動する上下一対のロッキングピース５４ｂ、５４ｂが採用され、これら上下のロッキングピースは、上下の支軸５５、５６にそれぞれ軸支されている。そして、下方の支軸５６に軸支された下方のロッキングピース５４ｂは、前記可動連結軸５４ａよりも後方へ水平状態に延在する係合受け部５４ｃを有し、該係合受け部５４ｃの後端部に水平方向の支軸（カシメピン）５４ｄを介してローラ５４ｅが回転自在に設けられ、該ローラ５４ｅの滑動下面は、前述した反転ラッチ規制解除用の作動片４６のスライド部４７の後端部側の上面４７ａ、カム部分４８の前記上面に続く右下がりの傾斜面４８ａ、カム部分４８の前記傾斜面４８ａの前方に続く水平支持面４８ｂにそれぞれ選択的に支持される。
【００３０】
次に図４を参照にして摺動制御体２４を説明する。摺動制御体２４は、錠箱８の上部空間に配設した反転ラッチ５０と同一方向に進退するように錠箱８内の下方空間に配設されている（例えば図２参照）。
【００３１】
実施形態の摺動制御体２４は、全体として「ピストル形態」の印象を受けるブロック体であるが、その上面は全体として略水平状態或いは中央部からゆるやかな傾斜状となっている。摺動制御体２４は、横長略直方形状の押圧部本体２５と、この押圧部本体２５の下面の後端部に連続する横長略直方形状の第２付勢手段用受け部２６とから成り、前記押圧部本体２５には錠箱８側に固定されたガイドピン１６ｂに案内される水平案内長孔１６ａが形成されている。前記水平案内長孔１６ａとガイドピン１６ｂは、摺動制御体２４用の第１案内手段１６を構成する。一方、前記第２付勢手段用受け部２６には錠箱８側に設けられた不番の水平案内部分と係合する不番の案内突起が適宜に設けられている。前記不番の水平案内部分と不番の案内突起は摺動制御体２４用の第２案内手段を構成する。したがって、摺動制御体２４は、第１案内手段１６および第２案内手段により、錠箱８の下部内に横方向に配設した第２付勢手段２３の付勢力に抗してフロント８ａ側に安定した状態でスラスド可能である。
【００３２】
符号２５ａは押圧部本体２５の先端部、一方、符号２５ｂは押圧部本体２５の後端部である。前記先端部２５ａには、垂直側面及び先端面が横Ｔ字形状に切欠され、該切欠部１７に平面視枠状或いは略Ｕ字形状の連結突片１９の突起状の係合後端部１９ａが横から固定的に嵌め込まれる。この連結突片１９は、該連結突片１９の先端部１９ｂの内側に係合する可動連結ピン（可動の連結軸）３１に連結する。連結突片１９と可動連結ピン３１は連係手段を構成する。付言すると、摺動制御体２４と後述のスイング式押圧体２７を繋ぐ連係手段は、前記摺動制御体２４の先端部２５ａに設けられた平面視横倒しの略Ｕ字形状の連結突片１９とスイング式押圧体２７に設けられた可動連結ピン（可動の連結軸）３１であり、前記平面視横倒しの略Ｕ字形状の連結突片１９の内側には、例えばタイミングラグ用の間隙１８が設けられている（図３、図５を参照）。
【００３３】
符号２６ａは第２付勢手段用受け部２６に先端から後端部にかけて水平状態に形成された第２付勢手段（コイル状の押しバネ）２３の一端部を収納する支持穴である。
【００３４】
ところで、実施形態では、連結突片１９は、摺動制御体２４とそれぞれ別個に成形されているが、もちろん、摺動制御体２４の先端部に突出成形しても良い。その他、摺動制御体２４の細部的構成の説明は割愛する。
【００３５】
次に、図２、図３、図４等を参照してスイング式押圧体２７を説明する。スイング式押圧体２７は、摺動制御体２４の進退動に追動あるいは共働して水平方向へ所定量回転することができるように単数又は複数の固定の垂直軸３０及び上下の軸受け部材３３、３３を介して錠箱８内のフロント８ａ付近に軸支されている。
【００３６】
このスイング式押圧体２７も前記摺動制御体２４と同様にブロック体に形成しても良いが、本実施形態では小片板体に形成し、基本的には肉厚の幅広後端部（内端部）２７ａと、該幅広後端部に親指状に連設する肉薄の係合先端部２７ｂとから成り、前記幅広後端部２７ａの一側面側には固定の垂直軸３０が設けられ、一方、幅広後端部２７ａの他側面側には前述した可動連結ピン（可動の連結軸）３１が一体的に設けられている。
【００３７】
付言すると、スイング式押圧体２７の幅広後端部２７ａは、摺動制御体２４の先端部に可動の連結軸３１を介して連結され、該可動の連結軸３１が摺動制御体２４の連結突片１９の先端部１９ｂの内側に係合すると、図３で示すように連結突片１９と摺動制御体２４の連結部分の端面との間にタイミングラグ用の間隙１８が存在する。すなわち、実施形態では、連係手段は、摺動制御体２４の先端面から突出する枠状連結突片１９と、この枠状連結突片に係合すると共にスイング式押圧体２７の後端部に設けられた可動連結ピン３１であり、前記枠状連結突片１９内の前記摺動制御体２４の先端面と前記スイング式押圧体２７の後端面との間には、前記スイング式押圧体２７を作動させるためのタイミングラグ用の間隙１８が設けられている。
【００３８】
ここで、特に図３を参照にして、スイング式押圧体２７の構造を説明する。スイング式押圧体２７は、錠箱８内に固定の垂直軸３０を介して軸支されると、操作部材を操作しない常態では、後側の縁辺ａと、これに略直交する扉枠側の当接部２８と対向する側の縁辺ｂは、錠箱８の幅広側壁の内壁面に対して略均等角度（例えば４５度づつ）にそれぞれ交差している。
【００３９】
また前記後側の縁辺ａと交差する室外側の縁辺ｃは弧状乃至錠箱８の幅広側壁の内壁面に当接する曲線或は垂直線と成り、さらに、前記扉枠１側の当接部２８と対向する側の縁辺ｂと前記室外側の縁辺ｃは、先端部付近に至るにしたがって次第に幅が狭くなっている。そして、前述した指状の係合先端部２７ｂは、錠箱８のフロント８ａから常に食み出している。なお、前述した下の軸受け部材３３は、スイング式押圧体２７用の軸受け機能の他、直接又は間接的に第２付勢手段２３の他端部を支持する機能も有する。
【００４０】
（４）扉枠側の当接部
図８は、要部（扉枠側）の概略断面説明図、図９は正面視からの概略説明図である。これらの図を参照にして扉枠１側の当接部２８を説明する。本実施例では、当接部２８は、図１で示すように、デッド受け穴３及びラッチ受け穴４を有する「いわゆる１枚のストライク板」の裏側（例えばトロヨケ）に配設されているが、もちろん、設計如何によっては、周知のストライク板等と、当接部２８を有する内外気圧差解消装置の受け具とは別体に成形されたものであっても良い。
【００４１】
さて、この当接部２８は、基本的には、受け部材２内に固定された支持ブラケット４１と、これに軸支された垂直ローラ４２とから成る。支持ブラケット４１は、扉枠１に形成された切欠状の凹所４３に固設され、この凹所４３底面に対して、錠箱８のフロント８ａ（扉７の木口）に向かって延出するように構成される。
【００４２】
垂直ローラ４２はローラ垂直軸４４を介して支持ブラケット４１の先端に設けられている。前記支持ブラケット４１が固設される凹所４３は、受け部材２又は受け部材２とは別体の受け具の内部空間よりも深く、錠箱８のフロント８ａより離間した位置を底面とする形状に構成されるとともに、扉７の開放方向側が開口した形状とされ、建物の扉枠１としては、室外側に向かう段部のように形成される。
【００４３】
ところで、支持ブラケット４１に支持された垂直ローラ４２の位置は、例えば図３で示すように、フロント８ａ或いは摺動制御体２４の中心線「Ｏ」上ではなく、室内側、具体的には、スイング式押圧体２７の固定の垂直軸３０側にやや偏芯する位置とされている。これに対して、前記スイング式押圧体２７の可動の連結軸３１は、前記中心線「Ｏ」よりも外側（室外）にやや偏芯する位置とされている。
【００４４】
したがって、常態では、中心線「Ｏ」を挟んで、垂直ローラ４２とスイング式押圧体２７の前述した当接部２８と対向する側の縁辺ｂを有する垂直面側は所要間隔を有して対向している。
【００４５】
（５）主要部の作用
図２はラッチ錠Ｘの錠箱８を縦断面視した初期状態の説明図である。図１０乃至図１５は図２を基準にした主要部の作用に関する各説明図である。すなわち、図１０はラッチ規制部材５４の規制を解除するタイミング（位置）の説明図、図１１はスイング式押圧体２７が作動を開始するタイミング（位置）の説明図、図１２は反転ラッチ規制解除用の作動片４６の水平支持面４８ｂにラッチ規制部材５４を構成する一方のロッキングピース５４ｂの係合受け腕部５４ｃが支持されている状態の説明図（カム部の高効率位置）、図１３は図１２の状態が続き、スイング式押圧体２７の係合先端部２７ｂが最大に突出した状態の説明図、図１４は図１３に於いて、スイング式押圧体２７が完全に押し出された平面視からの説明図である。そして、図１５は内外気圧差解消装置に関して、平面視からの作動の流れを示す概略説明図であり、その（ａ）は初期状態、（ｂ）は図１１の如く、カム部分の傾斜面から水平支持面に移行する時、つまり、スイング式押圧体２７の作動開始時点、（ｃ）は図１２の如く、一方のロッキングピース５４ｂの係合受け腕部５４ｃの後端部のローラ５４ｅが水平支持面に支持されている状態に於いて、スイング式押圧体２７の作動中、（ｄ）はスイング式押圧体２７の係合先端部２７ｂが最大に突出した状態をそれぞれ示すものである。
【００４６】
これらの図から明らかなように、開扉時、レバーハンドル９の把手部９ｂを押下げると、反転ラッチ規制解除用の作動片４６は、駆動カム１２の第１係合部１３に押されかつ第１付勢手段４５の付勢力に抗して水平移動始める。そうすると、前記作動片４６を構成するカム部分４８の傾斜面４８ａでラッチ規制部材５４の係合受け腕部５４ｃを押し上げることにより、反転ラッチ５０に対するラッチ規制部材５４の規制を解く。
一方、摺動制御体２４は、前記駆動カム１２の第２係合部１４に押されかつ第２付勢手段２３の付勢力に抗して錠箱８のフロント８ａ側へと水平移動を始めるものの、前記ラッチ規制部材５４の規制が解かれない間（前記カム部分４８の傾斜面４８ａで前記ラッチ規制部材５４を構成する下方のロッキングピース５４ｂの係合受け腕部５４ｃを押し上げている間）、スイング式押圧体２７を作動させない（摺動制御体２４の先端面でスイング式押圧体２７の後端面をまだ押圧していない）。
【００４７】
そして、前記レバーハンドル９のさらなる回転により、前記作動片４６が第１付勢手段４５の付勢力に抗して錠箱８の後壁８ｂ側へと移動し、そのカム部分４８の水平支持面４８ｂに前記係合受け腕部５４ｃのローラ５４ｅが乗っかるや否やスイング式押圧体２７を作動させ（摺動制御体２４の先端面でスイング式押圧体２７の後端面を押圧し）、スイング式押圧体２７のフロント８ａから常に突出している係合先端部２７ｂが扉枠１側の当接部２８にテコの原理で圧接している間は前記水平支持面４８ｂで前記ラッチ規制部材５４の規制を解除した状態を安定的に維持する。なお、実施形態ではラッチ規制部材５４の上下のロッキングピース５４ｂ、５４ｂは支軸５５、５６を支点にしてラッチ部材５０の規制を解く方向へ同時に回転する。またラッチ部材５０は、駆動カム１２の上方に配設された作動片４６が第１付勢手段４５の付勢力に抗して錠箱８の後壁８ｂ側へと移動し始めることによってラッチ規制部材５４から解放されると、スイング式押圧体２７は連係手段１９、３１を介して摺動制御体２４によってフロント８ａから押し出される。
【００４８】
付記として図１４はスイング式押圧体２７の先端部２７ｂが完全に押し出された平面視からの説明図である。前述したように、本実施形態では、駆動カム１２が時計方向に回転することにより、上下の第１係合部１３と第２係合部１４が回転方向に位置変位し作動片４６と摺動制御体２４が同時に作動する。そして、両部材４６、２４の作動中にタイミング用の間隙１８が次第に少なくなり、摺動制御体２４の先端面２５ａの一部がスイング式押圧体２７の後端面の一部に当接した時点（図１１）で、アシストボルトとしてのスイング式押圧体２７の作動が開始する。そこで、操作部材９の操作力により、駆動カム１２を介して摺動制御体２４がフロント８ａ側へ移動し続けると、スイング式押圧体２７は、その幅広後端部が中心線「Ｏ」よりも外側（室外）にやや偏芯する位置で摺動制御体２４の先端部（実施形態では連結突片１９の先端部１９ｂ）で押されることになるから、垂直軸３０を支点に、その枠状の係合突出先端部２７ｂが支持ブラケット４１の垂直ローラ４２に接近する方向へ水平回転し、かつ、該垂直ローラ４２にテコの原理（当接部に対する蹴り出し力を利用）で圧接する。そして、該圧接力に基づく反力は全て扉自体を開く方向へ作用する。これにより、扉７の扉開閉端と扉枠１との間に隙間が生じ、室内外の通気が行われて室内側の負圧がなくなり、室内が負圧となって開動に大きな力が必要となった扉７であっても、容易な開動が可能となる。
【産業上の利用可能性】
【００４９】
本発明は錠前及び建具の分野で利用される。
【符号の説明】
【００５０】
１…扉枠、
２…受け部材、
Ｘ…ラッチ錠、
７…扉、７ａ…壁面、
８…錠箱、８ａ…フロント、８ｂ…後壁、
９…外側の操作部材、９ａ…軸部、９ｂ…把手部、
１１…内側の操作部材、
１２…駆動カム、
１３…第１係合部、１４…第２係合部、
１５…角軸、
１６…第１案内手段、
１８…間隙、１９…連結突片、
２３…第２付勢手段、
２４…摺動制御体、
２５…押圧部本体、
２５ａ…先端面、２５ｂ…後端面、
２６…バネ受け部、
２７…スイング式押圧体、
２７ａ…幅広後端部（内端部）、２７ｂ…係合先端部、
２８…当接部、
３０…垂直軸、
３１…可動連結ピン、
３３…軸受け部材、
４５…第１付勢手段、
４６…作動片、
４７…スライド部、
４７ａ…一側上面、
４７ｂ…被係合部、
４８…カム部分、
４８ａ…傾斜面、
４８ｂ…水平支持面、
５０…反転ラッチ、
５４…ラッチ規制部材、
５４ａ…可動連結軸、
５４ｂ…上下のロッキングピース、
５４ｃ…係合受け部、
５４ｅ…ローラ、
５５、５６…上下の支軸。
【図１】
2017071971.tif 000003
【図２】
2017071971.tif 000004
【図３】
2017071971.tif 000005
【図４】
2017071971.tif 000006
【図５】
2017071971.tif 000007
【図６】
2017071971.tif 000008
【図７】
2017071971.tif 000009
【図８】
2017071971.tif 000010
【図９】
2017071971.tif 000011
【図１０】
2017071971.tif 000012
【図１１】
2017071971.tif 000013
【図１２】
2017071971.tif 000014
【図１３】
2017071971.tif 000015
【図１４】
2017071971.tif 000016
【図１５】
2017071971.tif 000017